(57)【要約】【課題】撮像装置と対向機の距離が離れても、リモート撮影可能な無線通信システム、その制御方法及びそのプログラム並びに記憶媒体を提供する。【解決手段】無線通信システムで、第１及び第２の無線端末装置は、操作手段と、表示手段と、機器情報記憶手段と、第１無線通信手段と、同じ周波数帯で動作する第２無線通信手段と、を備え、第１無線通信手段でライブビュー画像を通信しながらリモートレリーズが操作可能な状態で、第１無線通信手段の通信速度が第１の規定値未満になった場合、第１、第２の無線端末装置は第１無線通信手段でライブビュー画像を停止した状態でリモートレリーズ操作可能な状態になり、第１無線通信手段の通信速度が第２の規定値未満になった場合、第１、第２の無線端末装置は第１無線通信手段での無線通信を停止し、第２無線通信手段を用いてリモートレリーズ操作可能な状態になる。【選択図】図１
2019080259.tif 000002
【特許請求の範囲】
【請求項１】
第１の無線端末装置とその対向の第２の無線通信装置を有する無線通信システムにおいて、
前記第１の無線端末装置は、
各種設定をするための操作手段と、
各種情報を表示するための表示手段と、
機器情報を記憶するための機器情報記憶手段と、
無線通信デバイスと通信するための第１無線通信手段と、
前記第１無線通信手段と同じ周波数帯で動作する第２無線通信手段と、
を備えており、
前記対向の第２の無線端末装置は、
各種設定をするための操作手段と、
各種情報を表示するための表示手段と、
機器情報を記憶するための機器情報記憶手段と、
無線通信デバイスと通信するための第１無線通信手段と、
前記第１無線通信手段と同じ周波数帯で動作する第２無線通信手段と、
を備えており、
前記第１、第２の無線端末装置が前記第１無線通信手段でライブビュー画像を通信しながらリモートレリーズが操作可能な状態で、前記第１無線通信手段の通信速度が第１の規定値未満になった場合、前記第１、第２の無線端末装置は前記第１無線通信手段でライブビュー画像を停止した状態でリモートレリーズ操作可能な状態になり、前記第１無線通信手段の通信速度が第２の規定値未満になった場合、前記第１、第２の無線端末装置は前記第１無線通信手段での無線通信を停止し、前記第２無線通信手段を用いてリモートレリーズ操作可能な状態になることを特徴とする無線通信システム。
【請求項２】
前記第１無線通信手段はＷｉＦｉ、前記第２無線通信手段はＢｌｕｅｔｏｏｔｈであることを特徴する請求項１に記載の無線通信システム。
【請求項３】
前記第１、第２の無線端末装置が前記第２無線通信手段を用いてリモートレリーズ操作可能な状態で、前記第２無線通信手段での通信速度が第３の規定値以上になった場合には、前記第１、第２の無線端末装置間で前記第１無線通信手段の接続を確立することを特徴とする請求項１または２に記載の無線通信システム。
【請求項４】
第１の無線端末装置とその対向の第２の無線通信装置を有する無線通信システムの制御方法において、
前記第１の無線端末装置は、
各種設定をするための操作工程と、
各種情報を表示するための表示工程と、
機器情報を記憶するための機器情報記憶工程と、
無線通信デバイスと通信するための第１無線通信工程と、
前記第１無線通信工程と同じ周波数帯で動作する第２無線通信工程と、
を備えており、
前記第２の無線端末装置は、
各種設定をするための操作工程と、
各種情報を表示するための表示工程と、
機器情報を記憶するための機器情報記憶工程と、
無線通信デバイスと通信するための第１無線通信工程と、
前記第１無線通信工程と同じ周波数帯で動作する第２無線通信工程と、
を備えており、
前記第１、第２の無線端末装置が前記第１無線通信工程でライブビュー画像を通信しながらリモートレリーズが操作可能な状態で、前記第１無線通信工程における通信速度が第１の規定値未満になった場合、前記第１、第２の無線端末装置は前記第１無線通信工程でライブビュー画像を停止した状態でリモートレリーズ操作可能な状態になり、前記第１無線通信工程における通信速度が第２の規定値未満になった場合、前記第１、第２の無線端末装置は前記第１無線通信工程での無線通信を停止し、前記第２無線通信工程を用いてリモートレリーズ操作可能な状態になることを特徴とする無線通信システムの制御方法。
【請求項５】
前記第１無線通信工程はＷｉＦｉ、前記第２無線通信工程はＢｌｕｅｔｏｏｔｈであることを特徴する請求項４に記載の無線通信システムの制御方法。
【請求項６】
前記第１、第２の無線端末装置が前記第２無線通信工程を用いてリモートレリーズ操作可能な状態で、前記第２無線通信工程での通信速度が第３の規定値以上になった場合には、前記第１、第２の無線端末装置間で前記第１無線通信工程における接続を確立することを特徴とする請求項４または５に記載の無線通信システムの制御方法。
【請求項７】
請求項１乃至６のいずれか１項に記載の無線端末システムとして動作することを特徴とるプログラム。
【請求項８】
請求項７に記載されたプログラムが記憶されたことを特徴とする記憶媒体。
【発明の詳細な説明】
【技術分野】
【０００１】
本発明は、各種データを他の無線端末装置と共有することが可能な無線端末装置、その制御方法及びそのプログラム並びに記憶媒体に関するものである。
【背景技術】
【０００２】
デジタルカメラ等の撮像装置では、各種データを他の撮像装置と共有するために、Ｂｌｕｅｔｏｏｔｈ（登録商標）、ＷｉＦｉ（登録商標）などの無線機能を備えているものがある。これにより、ＰＣを介さずに装置同士で画像など各種データの送受信が可能となっている。
【０００３】
また、無線機能を備えた電子機器から離れた場所にある撮像装置をリモート操作することも可能となっている。リモート操作の例として、無線機能を備えた電子機器で撮像装置のシャッター操作を制御する方法などが挙げられる。
【０００４】
撮像装置以外にも、各種無線機能を備えた電子機器において、各種無線でのデータ転送方法や切り替え方法など、同じ周波数帯の無線機能を使用している場合でも、無線通信の品質を向上させるための発明が提案されている。
【０００５】
特許文献１では、撮像した画像を第１の通信方式を用いて画像処理装置へ送信する第１の送信制御手段と、画像処理装置からの指示に基づいて撮影した画像を外部装置に対して第２の通信方式を用いて送信する際に第１の通信方式を用いた画像の送信を中断する第２の送信制御手段を有する画像撮像装置が開示されている。
【０００６】
特許文献２では、第１通信部は１の無線通信方式にて第１信号を送信し、第２通信部は第１通信部が送信した第１信号の送信状態が劣化した場合に、第１の無線通信方式とは異なった第２の無線通信方式にて、第１通信部による送信と並行して第２信号を送信することが開示されている。
【先行技術文献】
【特許文献】
【０００７】
【特許文献１】特開２００６−２３２６１９号公報
【特許文献２】特開２０１３−１１８５６０号公報
【発明の概要】
【発明が解決しようとする課題】
【０００８】
無線機能を備えた撮像装置において、撮像したデータを対向機となる電子機器に無線送信し、対向機上で撮像したデータを確認しながらリモート撮影を実行することができる。
【０００９】
しかし、撮像装置と対向機の距離が離れるにつれて、無線通信の通信速度は低下し、撮像装置で撮像したデータを対向機でリアルタイムに確認することが困難となり、リモート撮影の範囲が限定的であった。
【００１０】
本発明の目的は、撮像装置と対向機の距離が離れても、リモート撮影可能な無線通信システム、その制御方法及びそのプログラム並びに記憶媒体を提供することである。
【課題を解決するための手段】
【００１１】
上記目的を達成するため、本発明に係る無線通信システムは、第１の無線端末装置とその対向の第２の無線通信装置を有する無線通信システムにおいて、前記第１の無線端末装置は、各種設定をするための操作手段と、各種情報を表示するための表示手段と、機器情報を記憶するための機器情報記憶手段と、無線通信デバイスと通信するための第１無線通信手段と、前記第１無線通信手段と同じ周波数帯で動作する第２無線通信手段と、を備えており、前記対向の第２の無線端末装置は、各種設定をするための操作手段と、各種情報を表示するための表示手段と、機器情報を記憶するための機器情報記憶手段と、無線通信デバイスと通信するための第１無線通信手段と、前記第１無線通信手段と同じ周波数帯で動作する第２無線通信手段と、を備えており、前記第１、第２の無線端末装置が前記第１無線通信手段でライブビュー画像を通信しながらリモートレリーズが操作可能な状態で、前記第１無線通信手段の通信速度が第１の規定値未満になった場合、前記第１、第２の無線端末装置は前記第１無線通信手段でライブビュー画像を停止した状態でリモートレリーズ操作可能な状態になり、前記第１無線通信手段の通信速度が第２の規定値未満になった場合、前記第１、第２の無線端末装置は前記第１無線通信手段での無線通信を停止し、前記第２無線通信手段を用いてリモートレリーズ操作可能な状態になることを特徴とする。
【００１２】
また、本発明に係る無線通信システムの制御方法は、第１の無線端末装置とその対向の第２の無線通信装置を有する無線通信システムの制御方法において、前記第１の無線端末装置は、各種設定をするための操作工程と、各種情報を表示するための表示工程と、機器情報を記憶するための機器情報記憶工程と、無線通信デバイスと通信するための第１無線通信工程と、前記第１無線通信工程と同じ周波数帯で動作する第２無線通信工程と、を備えており、前記第２の無線端末装置は、各種設定をするための操作工程と、各種情報を表示するための表示工程と、機器情報を記憶するための機器情報記憶工程と、無線通信デバイスと通信するための第１無線通信工程と、前記第１無線通信工程と同じ周波数帯で動作する第２無線通信工程と、を備えており、前記第１、第２の無線端末装置が前記第１無線通信工程でライブビュー画像を通信しながらリモートレリーズが操作可能な状態で、前記第１無線通信工程における通信速度が第１の規定値未満になった場合、前記第１、第２の無線端末装置は前記第１無線通信工程でライブビュー画像を停止した状態でリモートレリーズ操作可能な状態になり、前記第１無線通信工程における通信速度が第２の規定値未満になった場合、前記第１、第２の無線端末装置は前記第１無線通信工程での無線通信を停止し、前記第２無線通信工程を用いてリモートレリーズ操作可能な状態になることを特徴とする。
【発明の効果】
【００１３】
本発明によれば、撮像装置と対向機の距離が離れてもリモート撮影可能となり、ユーザーの利便性を向上させることができる無線通信システム、その制御方法及びそのプログラム並びに記憶媒体を提供することができる。
【図面の簡単な説明】
【００１４】
【図１】無線端末装置及び対向機を説明するための図
【図２】無線通信部の構成を説明するための図
【図３】無線端末装置のシーケンスを説明するための図
【図４】自装置と対向機の距離関係を説明するための図
【図５】ＷｉＦｉ、Ｂｌｕｅｔｏｏｔｈ（登録商標）通信を利用したリモート撮影を説明するための図
【図６】無線端末装置のシーケンスを説明するための図
【図７】対向機の表示部２３上に表示する内容を説明するための図
【発明を実施するための形態】
【００１５】
以下に、本発明の好ましい実施の形態を、添付の図面に基づいて詳細に説明する。
【００１６】
＜第１の実施形態＞
以下、図１乃至図５を参照して、本発明の第１の実施形態に係る無線通信システムにおける無線端末装置について説明する。本実施形態の電池認証機能を備えた無線端末装置（以下、自装置）を示すブロック図と、通信対象装置である無線端末装置（以下、対向機）を示すブロック図をそれぞれ図１（ａ）と（ｂ）に示す。
【００１７】
１はズームレンズ、フォーカスレンズおよび絞りと、それらを駆動するドライバ回路を備えたモータおよびアクチュエータで構成される光学ユニットである。２は被写体を示す画像光を受光面に結像して光電変換する撮像素子、３は撮像素子２で光電変換された画素毎の電荷を転送するための撮像信号を出力する撮像ドライバである。４は撮像素子２から出力された撮像信号を相関二重サンプリング処理によってノイズ除去を行った後に増幅するアンプ、５は撮像信号をデジタル変換して画像データを生成するＡ／Ｄコンバータである。
【００１８】
６は入力された画像データに対して、マトリックス演算処理、ホワイトバランス調節、ガンマ処理などの各種画像処理を施す画像データ処理回路である。７は画像データ処理回路６で処理された画像データを一時的に記憶させるフレームメモリ、８は画像データの圧縮あるいは伸張を行う圧縮伸張処理回路、９は画像ファイルを記録するメモリカードである。
【００１９】
１０は、メモリカード９に対し、圧縮された画像ファイルの書き込み、あるいは読み込みを行うリードライト回路である。１１は、フレームメモリ７に記憶された測距領域に対応する画像データに基づいて焦点距離を検出するオートフォーカス（以下ＡＦ）回路である。１２は、フレームメモリ７に記憶された測光領域に対応する画像データに基づいて被写体輝度を測定し、この測光値から絞り値、露出時間、図示しないストロボを発光させるか否かの露出条件を演算により求めるオートエクスポージャー（以下ＡＥ）回路である。
【００２０】
１３は、撮影時のホワイトバランスを自動調整するオートホワイトバランス（以下ＡＷＢ）回路、１４、２２は電源ボタン、レリーズボタン、モード切替ダイヤルなどからなる操作部である。１５、２３は、再生画像を表示する他、撮影モードの際には被写体確認用のスルー画像を表示して電子ビューファインダとしても機能する表示部である。１６は画像情報の特徴を抽出する画像特徴抽出回路、１７は撮像素子２で得られる画像情報の適正な画素毎の感度を算出する画素感度算出回路である。
【００２１】
１８、２４は、例えば絞り値、シャッタースピード等の露出に関わる設定値や端末情報等を記録する記録メモリ、１９、２５は本実施形態の無線端末装置を制御するＣＰＵである。２０、２１、２６、２７は、画像データなど各種データを無線通信装置と通信するための制御を行う無線通信部であり、記録メモリ１８に記録されている端末情報を元に対向機と各種データなどの送受信を実施する。
【００２２】
自装置、対向機の第１無線通信部と第２無線通信部はそれぞれ異なる無線通信方式で、本実施形態では第１無線通信部はＷｉＦｉ（登録商標）、第２無線通信部はＢｌｕｅｔｏｏｔｈ（登録商標）である。より具体的には、Ｂｌｕｅｔｏｏｔｈ  Ｌｏｗ  Ｅｎｅｒｇｙ（以下、ＢＬＥ）を利用することで、ＷｉＦｉ通信を使用した場合よりも消費電力を低減させることができる。さらに、ＢＬＥを利用することで接続完了までの時間を短縮することができる。
【００２３】
図１では、無線端末装置の例としてデジタルカメラを例に挙げて説明したが、本発明はこれに限定されるものではなく、例えば、スマートフォンなどの無線機能を備えた電子機器でも良い。
【００２４】
図２を用いて、自装置、対向機における第１の無線通信部２０、２６と第２の無線通信部２１、２７の詳細を説明する。図２（ａ）では、自装置、対向機の第１無線通信部と第２無線通信部が別モジュールとして構成されている例を示している。
【００２５】
本実施形態において、第１無線通信部２０、２６は、ＷｉＦｉの通信制御部１ａと無線信号を送受するためのアンテナ部１ｂで構成される。また、第２無線通信部２１、２７は、ＢＬＥの通信制御部２ａと無線信号を送受するためのアンテナ部２ｂで構成される。
【００２６】
図２（ｂ）では、自装置、対向機の第１無線通信部と第２無線通信部が同モジュール上に構成されている例を示している。本構成において、第１無線通信部２０、２６と第２無線通信部２１、２７は、ＷｉＦｉとＢＬＥの通信制御部３ａと無線信号を送受するためのアンテナ部３ｂで構成されている。
【００２７】
これら構成に関する内容は上記限定されるものではなく、無線端末装置のサイズや無線端末装置内のレイアウトにより適宜変更が可能である。例えば、アンテナは無線通信部２０、２１、２６、２７に構成されている必要はなく、リード線でアンテナラインを引き延ばし、無線通信部２０、２１、２６、２７とは別な場所に配置する構成でもよい。
【００２８】
図３に、第１の実施形態における無線端末装置の動作を示すフローチャートを示す。以下、フローチャートに従って説明する。はじめに、図４（ａ）のように、対向機が自装置から離れていく場合の制御方法に関して、図３（ａ）を用いて説明する。
【００２９】
Ｓ１０１において、ユーザーは自装置、対向機の操作部１４、２２を操作して、自装置と対向機の電源を入れる。Ｓ１０２において、ユーザーは自装置の操作部１４を使用して、自装置の撮影モードを選択する。Ｓ１０３において、自装置のＣＰＵはＳ１０２でユーザーが選択した撮影モードを確認する。通常撮影が選択された場合（Ｓ１０３でＮｏ）、Ｓ１０４において、自装置は通常撮影に移行する。
【００３０】
一方で、リモート撮影が選択された場合（Ｓ１０３でＹｅｓ）、Ｓ１０５に移行する。自装置のＣＰＵは第１無線通信部２０で対向機の第１無線通信部２６とＷｉＦｉの接続が確立できているかを確認する。ＷｉＦｉの接続が確立できた後に（Ｓ１０５でＹｅｓ）、Ｓ１０６でＷｉＦｉリモート撮影モードに移行する。
【００３１】
図５（ａ）を用いて、本実施形態におけるＷｉＦｉを使用したリモート撮影モードを説明する。このモードでは、自装置は撮像動作と並行して、圧縮伸長処理回路８で処理されたデータを自装置の第１無線通信部２０を使用して対向機に送信する。この際、自装置の表示部１５は撮像中のデータを表示するのではなく、例えば「リモート撮影中」などという内容の表示をしている。
【００３２】
対向機では、自装置から送信されたデータを対向機の第１無線通信部２６で受信する。データを受信するタイミングで、対向機のＣＰＵ２５は対向機の表示部２３に表示される内容を更新する。
【００３３】
このようにすることで、ユーザーは自装置から離れた位置においても、対向機の表示部２３上で自装置が撮像しているデータをリアルタイムに確認することができる。
【００３４】
対向機の表示部２３上には自装置で撮像したデータを表示するだけではなく、図５（ａ）のように、自装置に対して撮影指示を出す撮影アイコンや自装置の各種設定指示を出す設定アイコンが表示されている。対向機の表示部２３上に表示されるアイコンに関しては、これらに限定されるものではなく、適宜変更が可能である。
【００３５】
ＷｉＦｉリモート撮影中のＳ１０６において、自装置のＣＰＵ１９は自装置の第１無線通信部２０と通信して、定期的にＷｉＦｉの通信速度を確認する。ＷｉＦｉの通信速度が自装置の記録メモリに保存されている第１の規定値未満になった場合（Ｓ１０７でＹｅｓ）、Ｓ１０８では対向機の表示部２３上の表示内容の更新がないＷｉＦｉリモート撮影モードに移行する。
【００３６】
自装置と対向機の距離が離れていくと、障害物などにより無線通信が妨害され、第１無線通信部２０、２６でのＷｉＦｉ通信における通信速度が低下する。通信速度が低下すると、一定時間内に自装置から対向機に送信されるデータ量が減少し、ユーザーは対向機の表示部２３上で、自装置で撮像しているデータをリアルタイムに確認することが困難になる。そのため、ＷｉＦｉの通信速度が第１の規定値未満になった場合には、ＷｉＦｉの接続は確立しながらも自装置から対向機に対して、圧縮伸長処理回路８で処理されたデータの送信は停止する。
【００３７】
この際、対向機の表示部２３上には、図５（ｂ）のように各種アイコンや自装置から対向機に送信された最後のデータを表示した状態にしてもよい。
【００３８】
このようにすることで、ユーザーは対向機の表示部２３上に表示された最後のデータをもとにリモート撮影を継続することが可能となる。
【００３９】
表示内容の更新がないＷｉＦｉリモート撮影モードのＳ１０８において、自装置のＣＰＵ１９はＷｉＦｉの通信速度が自装置の記録メモリに保存されている第２の規定値未満になったかを確認する。通信速度が第２の規定値未満になった場合（Ｓ１０９でＹｅｓ）、Ｓ１１０に移行する。Ｓ１１０では、自装置のＣＰＵ１９は自装置と対向機の第１無線通信部２０、２６でのＷｉＦｉ通信を停止し、接続を解除した後に、第２通信部２１、２７でＢＬＥ通信を確立する。
【００４０】
図５（ｃ）を用いて、本実施形態におけるＢＬＥ撮影モードを説明する。このモードにおいて、自装置は撮像動作するものの、ＷｉＦｉ通信を使用したリモート撮影のように、圧縮伸長処理回路８で処理されたデータを対向機に送信することはない。この際、自装置の表示部１５は図５（ｃ）のように撮像中のデータを表示するのではなく、図５（ａ）、（ｂ）と同様に「リモート撮影中」などという内容の表示をしている。
【００４１】
対向機の表示部２３上には、図５（ｃ）のように、自装置に対して撮影指示を出す撮影アイコンや自装置の各種設定指示を出す設定アイコンが表示されている。
【００４２】
次に、図４（ｂ）のように、対向機が自装置から近づく場合の制御方法に関して、図３（ｂ）を用いて説明する。ＢＬＥリモート撮影中のＳ１２１において、自装置のＣＰＵ１９はＢＬＥの通信速度が自装置の記録メモリに保存されている第３の規定値以上になったかを確認する。ＢＬＥの通信速度が第３の規定値以上なっている場合（Ｓ１２１でＹｅｓ）、Ｓ１２２に進む。Ｓ１２２において、自装置のＣＰＵ１９はＢＬＥリモート撮影を継続し、自装置の第１無線通信部２０で対向機の第１無線通信部２６との間でＷｉＦｉの接続を確立する。
【００４３】
ＢＬＥリモート撮影中のＳ１２３において、自装置のＣＰＵ１９はＢＬＥの通信速度が自装置の記録メモリに保存されている第２の規定値以上なったかを確認する。ＢＬＥの通信速度が第２の規定値以上なっている場合（Ｓ１２３でＹｅｓ）、Ｓ１２４において自装置のＣＰＵ１９はＢＬＥのリモート撮影を終了し、ＢＬＥの接続を解除する。
【００４４】
また、自装置のＣＰＵ１９は、自装置の第１無線通信部２０と対向機の第１１無線通信部２６との間で、表示内容の更新がないＷｉＦｉリモート撮影モードに移行する。表示内容の更新がないＷｉＦｉリモート撮影中のＳ１２５において、自装置のＣＰＵ１９はＷｉＦｉの通信速度が自装置の記録メモリに保存されている第１の規定値以上になったかを確認する。ＷｉＦｉの通信速度が第１の規定値以上なっている場合（Ｓ１２５でＹｅｓ）、Ｓ１２６で表示内容の更新があるＷｉＦｉリモート撮影モードに移行する。
【００４５】
ＷｉＦｉからＢＬＥへ無線通信を切り替えた場合は切り替えのための待ち時間は短くて済むが、ＢＬＥからＷｉＦｉへ無線通信を切り替えた際は待ち時間が長くなり、その間の無線端末の操作が制限される。
【００４６】
本実施形態では、ＢＬＥリモート撮影からＷｉＦｉリモート撮影に無線通信を切り替える際、通信速度によってＢＬＥリモート撮影中にＷｉＦｉの接続だけを確立しておくことで、切り替え時の待ち時間を短縮することが可能となる。
【００４７】
以上、本実施形態ではＷｉＦｉリモート撮影モードとＢｌｕｅｔｏｏｔｈリモート撮影モード組み合わせることで、従来よりも遠距離でのリモート撮影が可能となる。
【００４８】
＜第２の実施形態＞
以下、図６〜７を参照して、本発明の第２の実施形態に係る無線通信システムにおける無線端末装置に関して説明する。基本的な構成は第１の実施形態と同じであるため、差異だけを詳細に述べる。同じ処理に関しては同じ符号を用いて説明する。
【００４９】
本実施形態では、ユーザーが適宜リモート撮影モードを選択できるような無線端末装置の構成にすることで、ユーザーの利便性を向上させることを目的としている。
【００５０】
図６に、本実施形態における、無線端末装置の動作を示すフローチャートを示す。以下、フローチャートに従って説明する。
【００５１】
ＷｉＦｉリモート撮影中のＳ１０６において、自装置のＣＰＵ１９は自装置の第１無線通信部２０と通信して、定期的にＷｉＦｉの通信速度を確認する。ＷｉＦｉの通信速度が自装置の記録メモリに保存されている第１の規定値未満になった場合（Ｓ１０７でＹｅｓ）、Ｓ１１１では対向機の表示部２３上に図７のような表示を出す。
【００５２】
本実施形態では、ＷｉＦｉリモート撮影でＷｉＦｉの通信速度が第１の規定値未満になった場合、ユーザーがリモート撮影のモードを選択できるようになっている。このようにすることで、ユーザーは撮影シーンに応じてリモート撮影モードを使い分けることが可能となる。
【００５３】
ユーザーがＷｉＦｉリモート撮影を選択した場合（Ｓ１１１でＹｅｓ）、Ｓ１０８では対向機の表示部２３上の表示内容の更新がないＷｉＦｉリモート撮影モードに移行する。一方でＢＬＥリモート撮影モードを選択した場合、Ｓ１１０に移行する。
【００５４】
以上、本実施形態ではユーザーが対向機で自装置のリモート撮影モードを選択できるようにすることで、利便性を向上させることが可能となる。
【００５５】
＜その他の実施形態＞
以上、本発明の好ましい実施形態について説明したが、本発明はこれらの実施形態に限定されず、その要旨の範囲内で種々の変形及び変更が可能である。
【００５６】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５７】
２０・・自装置における第１の無線通信部、２１・・自装置における第２の無線通信部、２６・・対向機における第１の無線通信部、２７・・対向機における第２の無線通信部
【図１】
2019080259.tif 000003
【図２】
2019080259.tif 000004
【図３】
2019080259.tif 000005
【図４】
2019080259.tif 000006
【図５】
2019080259.tif 000007
【図６】
2019080259.tif 000008
【図７】
2019080259.tif 000009